(57)【要約】【課題】楕円反射鏡３３４を備えた紫外線照射ヘッド３３０。【解決手段】一方の焦点ｆ２を通り短軸方向に延在する線の上に一対の端部を有し、他方の焦点ｆ２を内包する楕円弧の断面形状を有する楕円反射鏡３３４と、他方の焦点ｆ１に配された放電管３３２と、一方の焦点ｆ２に入射側の焦点ｆ３を有するコンデンサレンズ３３６とを備える。放電管３３２は線状の発光部を有して、楕円反射鏡３３４は、放電管３３２の長手方向の各位置において発光部の位置に一方の焦点ｆ１を有して断面に直角な方向に延在させてもよい。【選択図】図４
2009098381.tif 000002
【特許請求の範囲】
【請求項１】
一方の焦点を通り短軸方向に延在する線の上に一対の端部を有し、他方の焦点を内包する楕円弧の断面形状を有する楕円反射鏡と、
前記他方の焦点に配された紫外線光源と、
前記一方の焦点に入射側の焦点を有するコンデンサレンズと
を備える紫外線照射装置。
【請求項２】
前記紫外線光源は、線状の発光部を有する放電管であり、
前記楕円反射鏡は、前記放電管の長手方向の各位置において前記発光部の位置に前記一方の焦点を有して、前記断面に直角な方向に延在する
請求項１に記載の紫外線照射装置。
【請求項３】
前記コンデンサレンズは、波長が４００ｎｍを越える光を反射する反射層を入射面に有する請求項１に記載の紫外線照射装置。
【請求項４】
前記コンデンサレンズは、３枚以上の光学ガラスレンズを含む請求項１に記載の紫外線照射装置。
【請求項５】
前記楕円反射鏡は、紫外線帯域の光を反射し、他の帯域の光を透過するコールドミラーである請求項１に記載の紫外線照射装置。
【請求項６】
前記コンデンサレンズは、入射する紫外線に対して、前記一方の焦点に配された焦点を有する凹面をなす入射側端面を有する請求項１に記載の紫外線照射装置。
【請求項７】
前記楕円反射鏡は、０．７５以上、０．８５以下の離心率を有する請求項１に記載の紫外線照射装置。
【請求項８】
前記コンデンサレンズは３枚の光学ガラスレンズを有し、
前記３枚の光学ガラスレンズのうち、紫外線が入射される光学ガラスレンズ、および、紫外線を出射する光学ガラスレンズは、波長３６５ｎｍの紫外線に対して１．６５以上、１．６７以下の屈折率を有し、且つ、アッベ数が３５．９８以上、３６．０２以下のアッベ数を有し、
他の１枚の光学ガラスレンズは、波長３６５ｎｍの紫外線に対して１．６０以上、１．６２以下の屈折率を有し、且つ、６０．０以上、６２．０以下のアッベ数を有する請求項１に記載の紫外線照射装置。
【請求項９】
被記録媒体の搬送方向に対して交差する往復移動方向に移動しつつ紫外線硬化型インクを吐出する記録ヘッドと、
一方の焦点を通り短軸方向に延在する線の上に一対の端部を有して他方の焦点を内包する楕円弧の断面形状を有する楕円反射鏡、前記他方の焦点に配された紫外線光源、および、前記一方の焦点に入射側の焦点を有するコンデンサレンズとを有して、前記記録ヘッドから吐出されて前記被記録媒体に付着した前記紫外線硬化型インクに紫外線を照射する紫外線照射部と
を備える記録装置。
【発明の詳細な説明】
【技術分野】
【０００１】
本発明は、紫外線照射装置および記録装置に関する。より詳細には、紫外線硬化型インクを用いる記録装置をはじめとする紫外線硬化性樹脂を硬化させる装置または設備において、紫外線硬化性樹脂に照射する紫外線を発生する紫外線照射装置と、それを備えた記録装置とに関する。
【背景技術】
【０００２】
紫外線硬化性樹脂は光重合開始剤を含み、照射された紫外線により生じたラジカルが連鎖的に重合性二重結合を形成して硬化する。紫外線硬化性樹脂は、光造形材、接着材等の他、塗料、インク等の基材としての使用も多い。紫外線硬化型インクを被記録媒体に付着させる方法としては、塗布、印刷等もあるが、刷版なしに任意の画像またはパターンを精度よく形成できるインクジェット方式の利用が期待されている。
【０００３】
紫外線硬化型インクは、紫外線を照射するまでは硬化が非常に遅く、紫外線を照射すると急速に硬化するという、印刷インクとして好ましい特性を有する。また、硬化の過程で溶剤を揮発、放散させることがないので環境負荷が小さいという利点もある。
【０００４】
下記の特許文献１には、直管形紫外線ランプと楕円弧状の断面形状を有するコールドミラーとを備え、高効率に紫外線照射できる紫外線照射装置が記載される。また、下記の特許文献２には、反射鏡により集光する紫外線硬化用照射装置を備えたインクジェットプリンタが記載される。
【特許文献１】特開２００３−０４５２１１号公報
【特許文献２】特開２００６−０３５６４８号公報
【発明の開示】
【発明が解決しようとする課題】
【０００５】
紫外線硬化性樹脂は、照射された紫外線の強度に応じて硬化速度が変化する。このため、紫外線硬化性樹脂を硬化させる目的で使用される紫外線照射装置は、照射する紫外線強度を向上させることが常に求められている。
【０００６】
しかしながら、多くの紫外線光源は紫外線と共に熱も発生するので、徒に投入エネルギーを大きくすることはできない。また、不可避に発生した熱を放散させ、あるいは、機器を冷却するために別途エネルギーを投入しなければならないので、高出力な紫外線照射装置のエネルギー効率は低下する傾向がある。
【課題を解決するための手段】
【０００７】
そこで、上記課題を解決すべく、本発明の第１の形態として、一方の焦点を通り短軸方向に延在する線の上に一対の端部を有し、他方の焦点を内包する楕円弧の断面形状を有する楕円反射鏡と、他方の焦点に配された紫外線光源と、一方の焦点に入射側の焦点を有するコンデンサレンズとを備える紫外線照射装置が提供される。これにより、投入エネルギーを増加させることなく強度の高い紫外線を照射できる。また、エネルギー効率が向上されるので、発熱量も低下する。
【０００８】
また、上記紫外線照射装置において、紫外線光源は、線状の発光部を有する放電管であり、楕円反射鏡は、放電管の長手方向の各位置において発光部の位置に一方の焦点を有して、断面に直角な方向に延在してもよい。これにより、紫外線光源として広く使用される放電管を高効率に利用することができる。また、広い照射範囲に強度の高い紫外線を照射できる。
【０００９】
更に、上記紫外線照射装置において、コンデンサレンズは、波長が４００ｎｍを越える光を反射する反射層を入射面に有してもよい。これにより、紫外線硬化性樹脂の硬化に寄与しない一方で、照射対象を加熱する長波長の光線を抑制できる。
【００１０】
また更に、上記紫外線照射装置において、コンデンサレンズは、３枚以上の光学ガラスレンズを含んでもよい。これにより、紫外線に対する耐性が高く、光学的な特性にも優れた光学ガラスを用いて、性能の高いコンデンサレンズを形成できる。また、フッ化リチウムやフッ化カルシウム結晶(蛍石)等の高価な材料を用いることなく求められた特性を有するコンデンサレンズを形成できるので、コストダウンにも寄与する。
【００１１】
また更に、上記紫外線照射装置において、楕円反射鏡は、紫外線帯域の光を反射し、他の帯域の光を透過するコールドミラーであってもよい。これにより、紫外線硬化性樹脂の硬化に寄与しない長波長の光線を、コールドミラーを通じて外部に放散させて、紫外線照射装置の昇温を抑制できる。
【００１２】
また更に、上記紫外線照射装置において、コンデンサレンズは、入射する紫外線に対して、一方の焦点に配された焦点を有する凹面をなす入射側端面を有してもよい。これにより、反射鏡から射出されて拡散する紫外線を高効率に収束させることができる。
【００１３】
また更に、上記紫外線照射装置において、コンデンサレンズは、３６５ｎｍの波長を有する紫外線に対して、９６％以上の透過率を有してもよい。これにより、紫外線硬化性樹脂の硬化に寄与する帯域の紫外線を高効率に照射できる。
【００１４】
また更に、上記紫外線照射装置において、コンデンサレンズは３枚の光学ガラスレンズを有し、３枚の光学ガラスレンズのうち、紫外線が入射される光学ガラスレンズ、および、紫外線を出射する光学ガラスレンズは、波長３６５ｎｍの紫外線に対して１．６５以上、１．６７以下の屈折率を有し、且つ、アッベ数が３５．９８以上、３６．０２以下のアッベ数を有し、他の１枚の光学ガラスレンズは、波長３６５ｎｍの紫外線に対して１．６０以上、１．６２以下の屈折率を有し、且つ、６０．０以上、６２．０以下のアッベ数を有してもよい。これにより、入手の容易な光学ガラスレンズを用いて高効率な紫外線照射装置を形成できる。
【００１５】
また、本発明の第２の形態として、被記録媒体の搬送方向に対して交差する往復移動方向に移動しつつ紫外線硬化型インクを吐出する記録ヘッドと、一方の焦点を通り短軸方向に延在する線の上に一対の端部を有して他方の焦点を内包する楕円弧の断面形状を有する楕円反射鏡、他方の焦点に配された紫外線光源、および、一方の焦点に入射側の焦点を有するコンデンサレンズとを有して、記録ヘッドから吐出されて被記録媒体に付着した紫外線硬化型インクに紫外線を照射する紫外線照射部とを備える記録装置が提供される。これにより、液体噴射装置においても上記の効果を享受できる。
【００１６】
なお、上記の発明の概要は、本発明の必要な特徴の全てを列挙したものではない。また、これらの特徴群のサブコンビネーションも発明となり得る。
【発明を実施するための最良の形態】
【００１７】
以下、発明の実施の形態を通じて本発明を説明するが、以下の実施形態は特許請求の範囲にかかる発明を限定するものではない。また、実施形態の中で説明されている特徴の組み合わせの全てが発明の解決手段に必須であるとは限らない。
【実施例１】
【００１８】
図１は、一実施形態に係るインクジェット式記録装置１００の外観を示す斜視図である。なお、このインクジェット式記録装置１００は、例えばＪＩＳ規格のＡ０判、ＪＩＳ規格のＢ０判といった大判の単票、同単票と同じ用紙幅を有するロール紙にインクを吐出することより記録をする。被記録媒体としては、紙の他に、樹脂フィルム等を用いることもできる。
【００１９】
同図に示すように、インクジェット式記録装置１００は、互いに積層された上部筐体１１２および下部筐体１１４と、下部筐体１１４の下に吊り下げられた小型筐体１１６とを含む筐体１１０を有する。筐体１１０は、下方から脚部１２０により持ち上げられて支持される。これにより、筐体１１０の下方に、記録済みの記録用紙１５０を排出するスペースが形成される。
【００２０】
また、上部筐体１１２には、このインクジェット式記録装置１００をスタンドアロンで操作する場合に使用する操作パネル１３０が設けられる。操作パネル１３０には、インクジェット式記録装置１００の動作状態を示す表示パネル、表示ランプ等が設けられる場合もある。一方、下部筐体１１４には、インクを収容したインクカートリッジ２４０を装填するカートリッジホルダ１４０が設けられる。
【００２１】
インクジェット式記録装置１００において、画像を記録された記録用紙１５０は、上部筐体１１２および下部筐体１１４の間から前方に送り出される。送り出された記録用紙１５０は、自重により下方に垂れ下がる。このため、上部筐体１１２および下部筐体１１４の間隙に見える吸引プラテン２５０の前端には、記録用紙１５０を円滑に案内する滑らかな案内面２５２が形成される。
【００２２】
図２は、インクジェット式記録装置１００を背面から見た様子を示す斜視図である。同図に示すように、インクジェット式記録装置１００の背面において、下部筐体１１４の後部には、水平に掛け渡されたスピンドル１６０と、スピンドル１６０を挿通されて水平に支持されたロール１５２とが装着される。ロール１５２は、長尺の記録用紙１５０を巻き重ねて形成される。図１に示した記録用紙１５０は、ロール１５２から引き出されて、筐体１１０の内部を通過した後に前面に引き出された記録用紙１５０の前端に相当する。
【００２３】
図３は、インクジェット式記録装置１００の内部機構２００を模式的に示す斜視図である。同図に示すように、内部機構２００は、ガイド軸２７０、記録ヘッド組立体２３０および吸引プラテン２５０を含む。
【００２４】
ガイド軸２７０は、インクジェット式記録装置１００の長手方向に沿って水平に延在する。記録ヘッド組立体２３０はガイド軸２７０に支持され、ガイド軸２７０に沿って往復移動方向Ｍに往復移動する。
【００２５】
記録ヘッド組立体２３０は、記録ヘッド３１０と、ガイド軸２７０の延在方向に記録ヘッド３１０を挟む一対の紫外線照射ヘッド３２０、３３０とを含む。これら記録ヘッド３１０および紫外線照射ヘッド３２０、３３０は、ガイド軸２７０に沿って一体的に移動する。
【００２６】
また、ガイド軸２７０の後方には、一対のプーリ２６０に掛けわたされたタイミングベルト２２０が配置される。プーリ２６０の一方は、キャリッジモータ２２２により回転駆動される。これにより、プーリ２６０の間で、タイミングベルト２２０はガイド軸２７０に対して平行に走行する。
【００２７】
タイミングベルト２２０の一部は、記録ヘッド組立体２３０に結合される。これにより、キャリッジモータ２２２に供給する駆動信号に応じて記録ヘッド組立体２３０を移動させることができる。更に、往復移動方向Ｍに対して平行に、リニアスケール２１４が配される。
【００２８】
リニアスケール２１４は、透明な本体と、往復移動方向Ｍに沿って一定の周期で形成された遮光帯とを有する。一方、記録ヘッド組立体２３０は、遮光帯を検出して計数する検知部を供える。これにより、記録ヘッド組立体２３０の移動量を正確に検知できる。なお、これらガイド軸２７０、記録ヘッド組立体２３０、タイミングベルト２２０およびリニアスケール２１４は、インクジェット式記録装置１００の上部筐体１１２に収容されている。
【００２９】
記録ヘッド組立体２３０の移動範囲の下方には、記録用紙１５０の搬送方向Ｓに沿って、搬送駆動ローラ２１２を含む搬送部と吸引プラテン２５０とがこの順で配置される。これら搬送駆動ローラ２１２および吸引プラテン２５０は、下部筐体１１４に収容されている。
【００３０】
搬送駆動ローラ２１２は搬送モータにより回転駆動され、図示を省略した搬送従動ローラにより記録用紙１５０を押し付けられつつ回転する。これにより、記録用紙１５０をロール１５２から引き出して、吸引プラテン２５０上に送り出す。
【００３１】
吸引プラテン２５０は、搬送部から送り込まれた記録用紙１５０を、平坦な表面において下方から支持する。また、吸引プラテン２５０は、吸引ファン等の減圧源に連通した多数の吸引孔を表面に有して、支持した記録用紙１５０を吸着する。これにより、吸引プラテン２５０は、巻き癖等のついた記録用紙１５０を、記録ヘッド３１０の下方で平坦に保持する。
【００３２】
一方、記録ヘッド組立体２３０の往復移動方向Ｍについて吸引プラテン２５０の外側には、フラッシング部２９０およびキャップ２８０が順次配置される。フラッシング部２９０は、記録ヘッド３１０から大量のインクを吐出させるフラッシングが実行された場合に、吐出されたインクを吸収する。このようなフラッシングにより、増粘したインクを記録ヘッド３１０から除去することができる。また、キャップ２８０は、インクジェット式記録装置１００が休止している期間に、記録ヘッド３１０の下面を気密に封止して、記録ヘッド３１０においてインクが増粘または固化することを防止する。
【００３３】
上記のような構造を有するインクジェット式記録装置１００は、以下のように記録動作を実行する。まず、搬送駆動ローラ２１２が吸引プラテン２５０上に記録用紙１５０を送り込み、吸引プラテン２５０は搬送された記録用紙１５０を平坦に保持する。記録ヘッド３１０は、吸引プラテン２５０上に支持された記録用紙１５０上を往復移動方向Ｍに移動しながら、記録用紙１５０の表面に向けてインクを吐出する。以下、搬送部２１０が記録用紙１５０を搬送方向Ｓに搬送する動作と、記録ヘッド３１０が記録用紙１５０上を往復移動方向Ｍに往復移動することを交互に繰り返して、記録用紙１５０表面の任意の領域にインクを付着させて画像を形成する。
【００３４】
図４は、上記インクジェット式記録装置１００の記録ヘッド組立体２３０を抜き出して示す部分拡大図である。同図に示すように、記録ヘッド組立体２３０は、記録ヘッド３１０と、往復移動方向Ｍに記録ヘッド３１０を挟んで配置された一対の紫外線照射ヘッド３２０、３３０とを含む。記録ヘッド３１０の下面には、紫外線硬化型インクを吐出する多数のノズルが設けられる。
【００３５】
紫外線照射ヘッド３２０、３３０の各々は、紫外線光源としての放電管３３２と、放電管３３２の出射光を下方に向かって誘導する楕円反射鏡３３４と、楕円反射鏡３３４から出射される紫外線を集光するコンデンサレンズ３３６とを備える。放電管３２２としては、メタルハライドランプ、キセノンランプ、カーボンアーク灯、ケミカルランプ、低圧水銀ランプ、高圧水銀ランプ等の紫外線ランプを用いることができる。この種の光源は、放電雰囲気を封止する石英ガラス管と、その内部に放電電圧を印加する電極とを備える。
【００３６】
反射鏡３２４は、アルミ板等を成形加工して形成され、楕円弧の断面形状を有する。これにより、放電管３２２、３３２から放射状に出射された紫外線を効率よく反射して、記録用紙１５０にむかって照射する。更に、コンデンサレンズ３３６は、拡散する紫外線を収束させて、発生した紫外線を無駄なく記録用紙１５０に照射する。
【００３７】
ここで、放電管３２２は、その長手方向が搬送方向Ｓに対して平行になるように装着され、記録ヘッド３１０の直近に配置される。従って、インクジェット式記録装置１００の記録動作において、記録ヘッド３１０が記録用紙１５０上に吐出した紫外線硬化型インクに対して、即座に紫外線を照射する。
【００３８】
図５は、紫外線照射ヘッド３２０、３３０の光学的構造３００を模式的に示す図である。なお、図５においては、一方の紫外線照射ヘッド３３０の参照番号を用いて示すが、他方の紫外線照射ヘッド３２０も、同じ構造を有する。
【００３９】
図５に示す光学的構造３００において、楕円反射鏡３３４は、短径６８ｍｍ、離心率０．８５の楕円弧をなす。楕円反射鏡３３４の一方の焦点ｆ１上には、放電管３３２が配置される。また、楕円反射鏡３３４は、楕円弧の他方の焦点ｆ２を含む水平面上に反射面の端部を有して、幅７１．８ｍｍの開口をなす。
【００４０】
上記のような楕円反射鏡３３４に対して、コンデンサレンズ３３６は、それぞれが正の屈折力を有する３枚のレンズ３３１、３３３、３３５を用いて形成され、全体として高い屈折力を有する。コンデンサレンズ３３６の入射面側の焦点ｆ３は、楕円反射鏡３３４の他方の焦点ｆ２と同じ位置に配される。コンデンサレンズ３３６の光学的仕様を下記の表１に記載する。
【００４１】
［表１］
ｆ．ｌ  ３７．２８
Ｆ．Ｂ  ２０．２３
Ｆ      １：０．４９７
ｒ            Ｄ        ｄ          ｎ              ν          τ
０                            ２０．２３
１    ３３．５００  ４３．０    ６．５０  １．６６６３５  ３６．０１  ０．９６５
２    ２４．０００  ４３．０    ０．７５
３    ６４．０００  ６０．０  １０．５０  １．６１２６１  ６０．９９  ０．９９０
４    ３６．０００  ６０．０    ０．７５
５  ８７１．０７０  ７５．０  １４．５０  １．６６６３５  ３６．０１  ０．９６５
６    ５９．５２４  ７５．０  ５０．００
ただし、上記の表１において、
ｒは、放電管３３２側からｍ番目の半径、
Ｄは、放電管３３２側から第ｍレンズの口径、
ｄは、放電管３３２側からｍ番目と次の面との面間距離、
ｎは、放電管３３２側から第ｍレンズのｉ線（３６５ｎｍ）の屈折率、
νは、放電管３３２側から第ｍレンズアッベ数、
τは、放電管３３２側から第ｍレンズの、厚さ２５ｍｍ当たりのｉ線内部透過率
をそれぞれ表す。
【００４２】
なお、コンデンサレンズ３３６の構成は３枚に限定されるものではない。しかしながら、紫外線に対する耐性を有する光学ガラスを用いてコンデンサレンズ３３６としての特性を実現するには、３枚以上のレンズ３３１、３３３、３３５を用いることが好ましい。
【００４３】
図５に示すように、放電管３３２から放射されて楕円反射鏡３３４に反射された紫外線は、他方の焦点ｆ２を通過して、開口から楕円反射鏡３３４の外部に出射される。出射した紫外線は、コンデンサレンズ３３６に入射され、出射側のレンズ３３５の径よりも狭い範囲に収束される。また、放電管３３２から出射されて、楕円反射鏡３３４に反射されることなく、開口から直接に出射された紫外線も、コンデンサレンズ３３６に入射されて収束される。
【００４４】
なお、この光学的構造３００においては、コンデンサレンズ３３６の入射面をなすレンズ３３１の入射面が、放電管３３２側から見て凹面を形成している。これにより、楕円反射鏡３３４の開口から出射されて拡散する紫外線も、コンデンサレンズ３３６に効率よく補足される。
【００４５】
図６は、上記のような紫外線照射ヘッド３３０による紫外線の照射面強度を、図５と同じ断面において計測した結果を示すグラフである。なお、図中の「照射面位置」は、照射面における、照射紫外線の中心光軸の位置を「０」として、当該零点からの距離により表示されている。同図に示すように、放電管３３２が出射した紫外線は、零点を中心に収束されていることが判る。また、零点から離れた位置では照度が低く、記録用紙１５０に対して高い効率で照射されることが判る。
【００４６】
このように、紫外線照射ヘッド３３０においては、放電管３３２から放射された紫外線が、高い割合で記録用紙１５０に照射される。本実施例に係る紫外線照射ヘッド３３０では、９５．７％の平面光束有効率が得られた。
【００４７】
図７は、図５に示した光学的構造３００と比較する目的で作製した比較例としての紫外線照射ヘッド３３０の構造を示す図である。同図に示すように、この光学的構造３００においては、楕円反射鏡３３４は離心率０．８０の楕円弧状の断面形状を有し、短軸と交差する位置に幅６０ｍｍの開口を有する。また、この紫外線照射ヘッド３３０は、コンデンサレンズ３３６を備えていない。このような紫外線照射ヘッド３３０について平面光束有効率を測定したところ７９．４％に過ぎないことが判った。
【００４８】
図８は、図５に示した光学的構造３００の変形例を示す図である。同図に示すように、この光学的構造においては、コンデンサレンズ３３６の入射面に、波長が４００ｎｍよりも長い光線を反射する反射層３３７が設けられる。反射層３３７は、紫外線硬化型インクの硬化に寄与しない帯域の光線を反射して、楕円反射鏡３３４の他方の焦点ｆ２を通過させて楕円反射鏡３３４の内部に戻す。これにより、長波長の光線により紫外線の照射対象を加熱することが防止される。
【００４９】
更に、好ましいひとつの形態によると、楕円反射鏡３３４を、波長が４００ｎｍよりも長い光線を透過させるコールドミラーとすることが好ましい。これにより、紫外線硬化型インクの硬化に寄与しない帯域の光線を、楕円反射鏡３３４の外部に放散させて、光学的構造３００の昇温を抑制できる。
【００５０】
図９は、仕様の異なる紫外線照射ヘッド３３０の光学的構造３００を模式的に示す図である。図９に示す光学的構造３００において、楕円反射鏡３３４は、短径６０ｍｍ、離心率０．８０の楕円弧をなす。楕円反射鏡３３４の一方の焦点ｆ１上には、放電管３３２が配置される。また、楕円反射鏡３３４は、楕円弧の他方の焦点ｆ２を含む水平面上に反射面の端部を有して、幅７１．７ｍｍの開口をなす。
【００５１】
上記のような楕円反射鏡３３４に対して、コンデンサレンズ３３６は、図５に示した形態と同じ仕様のものを用いた。従って、コンデンサレンズ３３６は、表１に既に示した通りの仕様を有する。また、コンデンサレンズ３３６の配置も、コンデンサレンズ３３６の入射面側の焦点ｆ３が、楕円反射鏡３３４の開口側の焦点ｆ２と同じ位置になるようになされる。このような光学的構造３００を有する紫外線照射ヘッド３３０について平面光束有効率を測定したところ、９４．１％と高い値を示した。
【００５２】
図１０は、更に仕様の異なる紫外線照射ヘッド３３０の光学的構造３００を模式的に示す図である。図１０に示す光学的構造３００において、楕円反射鏡３３４の形状および寸法は図５に示した形態と全く同様であり、断面において短径６８ｍｍ、離心率０．８５の楕円弧をなす。また、楕円反射鏡３３４の一方の焦点ｆ１上には、放電管３３２が配置される。更に、楕円反射鏡３３４は、楕円弧の他方の焦点ｆ２を含む水平面上に反射面の端部を有して、幅７１．８ｍｍの開口をなす。上記のような楕円反射鏡３３４に対して、コンデンサレンズ３３６は、下記の表２に示す仕様を有する。
【００５３】
［表２］
ｆ．ｌ  ３５．９０
Ｆ．Ｂ  ２４．７２
Ｆ      １：０．８５５
ｒ            Ｄ        ｄ          ｎ              ν          τ
０                            ２４．７２
１    ３３．５００  ４３．０    ６．５０  １．６６６３５  ３６．０１  ０．９６５
２    ２４．０００  ４３．０    ０．７５
３    ６４．０００  ４２．０    ５．５０  １．６１２６１  ６０．９９  ０．９９０
４    ３６．０００  ４２．０    ０．７５
５  ８７１．０７０  ４３．０    ５．００  １．６６６３５  ３６．０１  ０．９６５
６    ５９．５２４  ４３．０  ５０．００
ただし、上記の表２において、
ｒは、放電管３３２側からｍ番目の半径、
Ｄは、放電管３３２側から第ｍレンズの口径、
ｄは、放電管３３２側からｍ番目と次の面との面間距離、
ｎは、放電管３３２側から第ｍレンズのｉ線（３６５ｎｍ）の屈折率、
νは、放電管３３２側から第ｍレンズアッベ数、
τは、放電管３３２側から第ｍレンズの、厚さ２５ｍｍ当たりのｉ線内部透過率
をそれぞれ表す。
【００５４】
このような光学的構造３００を有する紫外線照射ヘッド３３０について平面光束有効率を測定したところ、８８．５％と、依然として高い値を示した。
【００５５】
以上、本発明を実施の形態を用いて説明したが、本発明の技術的範囲は上記実施の形態に記載の範囲には限定されない。上記実施の形態に、多様な変更または改良を加え得ることは当業者に明らかである。また、そのような変更または改良を加えた形態も本発明の技術的範囲に含まれ得ることが、特許請求の範囲の記載から明らかである。
【図面の簡単な説明】
【００５６】
【図１】インクジェット式記録装置１００を前面から見た外観を示す斜視図である。
【図２】インクジェット式記録装置１００を背面から見た外観を示す斜視図である。
【図３】インクジェット式記録装置１００の内部機構２００を示す斜視図である。
【図４】記録ヘッド組立体２３０を取り出した部分拡大図である。
【図５】紫外線照射ヘッド３３０の光学的構造３００を示す図である。
【図６】紫外線照射ヘッド３３０による照射面照度比を示すグラフである。
【図７】比較例に係る紫外線照射ヘッド３３０の光学的構造３００を示す図である。
【図８】光学的構造３００の変形例を示す図である。
【図９】記録ヘッド組立体２３０を取り出した部分拡大図である。
【図１０】記録ヘッド組立体２３０を下から見上げた様子を示す図である。
【符号の説明】
【００５７】
１００  インクジェット式記録装置、１１０  筐体、１１２  上部筐体、１１４  下部筐体、１１６  小型筐体、１２０  脚部、１３０  操作パネル、１４０  カートリッジホルダ、１５０  記録用紙、１５２  ロール、１６０  スピンドル、２００  内部機構、２１０  搬送部、２１２  搬送駆動ローラ、２２０  タイミングベルト、２２２  キャリッジモータ、２３０  記録ヘッド組立体、２４０  インクカートリッジ、２５０  吸引プラテン、２５２  案内面、２６０  プーリ、２７０  ガイド軸、２８０  キャップ、２９０  フラッシング部、３１０  記録ヘッド、３１２  ノズルプレート、３２０、３３０  紫外線照射ヘッド、３２２、３３２  放電管、３３１、３３３、３３５  レンズ、３３４  楕円反射鏡、３３６  コンデンサレンズ、３３７  反射層
【図１】
2009098381.tif 000003
【図２】
2009098381.tif 000004
【図３】
2009098381.tif 000005
【図４】
2009098381.tif 000006
【図５】
2009098381.tif 000007
【図６】
2009098381.tif 000008
【図７】
2009098381.tif 000009
【図８】
2009098381.tif 000010
【図９】
2009098381.tif 000011
【図１０】
2009098381.tif 000012